(57)【要約】【課題】  配線の誤接続、接続不良が発生することを効果的に抑えること。【解決手段】  配線基板は、第１主面１１およびその反対側の第２主面１２を有する基板１と、第１主面１１の側に配置された配線３と、を有している配線基板であって、第１主面１１から第２主面１２に至って配置された導体線４ａ〜４ｆが、三本以上配線３の幅方向に並んでおり、配線３は、三本以上の導体線４ａ〜４ｆのうちの一部で複数本の導体線４ｃ，４ｄ（あるいは導体線４ｂ，４ｃ）と接続している。これにより、配線３に対して導体線４ａ〜４ｆが位置ずれを起こしたとしても、配線３と導体線４ｂ，４ｃとが確実に接続される。【選択図】  図１
2018152565.tif 000002
【特許請求の範囲】
【請求項１】
第１主面およびその反対側の第２主面を有する基板と、
前記第１主面の側に配置された配線と、を有している配線基板であって、
前記第１主面から前記第２主面に至って配置された導体線が、三本以上前記配線の幅方向に並んでおり、
前記配線は、三本以上の導体線のうちの一部で複数本の導体線と接続している配線基板。
【請求項２】
前記導体線は、前記基板の側面に配置されている側面導体線である請求項１に記載の配線基板。
【請求項３】
前記側面導体線は、前記基板の側面において前記第１主面から前記第２主面に至る溝に配置されている請求項２に記載の配線基板。
【請求項４】
前記導体線は、前記基板に形成された貫通孔に配置されている貫通導体線である請求項１に記載の配線基板。
【請求項５】
前記導体線は、隣接する導体線と所定ピッチで配置されている請求項１乃至請求項４のいずれか１項に記載の配線基板。
【請求項６】
前記配線は、複数本あり、
前記所定ピッチは、前記配線の幅の１／３よりも小さい請求項５に記載の配線基板。
【請求項７】
前記配線は、複数本あり、
前記導体線は、その幅が、前記配線とそれに隣接する前記配線との最小間隔の１／２よりも小さい請求項１乃至請求項６のいずれか１項に記載の配線基板。
【請求項８】
前記導体線は、前記配線が配置されていない前記基板の部位に複数本整列されている請求項１乃至請求項７のいずれか１項に記載の配線基板。
【請求項９】
請求項１乃至請求項８のいずれか１項に記載の配線基板と、
前記第１主面の側に配置され、前記配線に電気的に接続されている発光部と、を有している発光装置。
【請求項１０】
前記配線と接続される複数の導体線がそれぞれの導体線をつなぐ橋掛け線を有している請求項１乃至請求項３のいずれか1項に記載の配線基板。
【請求項１１】
前記橋掛け線は、隣接する導体線間に複数配設されている請求項１０に記載の配線基板。
【請求項１２】
前記配線は、前記基板の側面側において複数の枝分かれ形状となっており、枝分かれのそれぞれの配線に複数の導体線が接続されている請求項１０または請求項１１に記載の配線基板。
【請求項１３】
枝分かれの配線は、電源配線である請求項１２に記載の配線基板。
【発明の詳細な説明】
【技術分野】
【０００１】
本発明は、基板の表面から裏面にわたって配置される導体線およびその導体線に接続される配線を有する配線基板、その配線基板上に発光ダイオード（Light  Emitting  Diode：ＬＥＤ）等の発光素子が設けられた発光装置に関するものである。
【背景技術】
【０００２】
従来、発光装置の一種であり、ＬＥＤ等の発光素子を含む画素部を複数有する、バックライト装置が不要な自発光型の表示装置が知られている。そのような表示装置の基本構成のブロック回路図を図３に示す。表示装置は、ガラス基板等から成る基板５１上に、発光素子７３（LD11，LD12，LD13，LD21，LD22，LD23，LD31，LD32，LD33〜）のそれぞれに発光信号を入力するためのスイッチ素子としての薄膜トランジスタ（Thin  Film  Transistor：ＴＦＴ）７１と、発光制御信号（画像信号線SLを伝達する信号）のレベル（電圧）に応じた、正電圧（アノード電圧：３〜５Ｖ程度）と負電圧（カソード電圧：−３Ｖ〜０Ｖ程度）の電位差（発光信号）から発光素子７３を電流駆動するための駆動素子としてのＴＦＴ７２と、を含む発光部（画素部ともいう）７４（P11，P12，P13，P21，P22，P23，P31，P32，P33〜）が多数配置されている。
【０００３】
ＴＦＴ７１，７２はｐチャネル型ＴＦＴであり、それらのゲート電極にロー信号（Ｌ信号）が入力されることによって、ソース−ドレイン間が導通しオン状態となり電流が流れる。そして、ＴＦＴ７２は、そのゲート電極に発光制御信号が入力されており、その発光制御信号のレベルに応じた電位差により生じた電流（発光信号）が発光素子７３の正電極（アノード電極）と負電極（カソード電極）の間に流れる。発光素子７３の正電極には正電圧入力線７５を介して正電圧が入力され、発光素子７３の負電極には負電圧入力線７６を介して負電圧が入力される。正電圧入力線７５の入力端部にはスルーホール等から成る貫通導体７８があり、貫通導体７８を介して、基板５１の裏面側にある駆動素子あるいは電源部等に電気的に接続されている。負電圧入力線７６の入力端部にはスルーホール等から成る貫通導体７９があり、貫通導体７９を介して、基板５１の裏面側にある駆動素子あるいは電源部等に電気的に接続されている。またＴＦＴ７２は、ゲート電極にロー信号が入力されている間オン状態となり、発光素子７３に電流を流す。また、ＴＦＴ７２のゲート電極とソース電極とを接続する接続線上には容量素子が配置されており、容量素子はＴＦＴ７２ゲート電極に入力された発光制御信号の電圧を次の書き換えまでの期間（１フレームの期間）保持する保持容量として機能する。
【０００４】
また、基板５１上には、第１の方向（例えば、行方向）に形成された複数本のゲート信号線５２（GL1，GL2，GL3〜）と、第１の方向と交差する第２の方向（例えば、列方向）にゲート信号線５２と交差させて形成された複数本の画像信号線（ソース信号線）５３（SL1，SL2，SL3〜）と、ゲート信号線５２と画像信号線５３の各交差部に対応して形成された画素部７４と、を有する構成である。なお、図３において、７０は表示部、６１は、基板５１の裏面側にある駆動素子からゲート信号を伝達するためのスルーホール等から成る貫通導体である。なお、駆動素子は、例えば、基板５１の裏面にＣＯＧ（Chip  On  Glass）方式等の手段によって搭載される。また、基板５１の裏面側には、駆動素子との間で引き出し線を介して駆動信号、制御信号等を入出力するための回路基板（Flexible  Printed  Circuit：ＦＰＣ）が設置されている場合がある。
【０００５】
ＴＦＴ７１，７２は、例えば、アモルファスシリコン(a-Si)、低温多結晶シリコン（Low-Temperature  Poly  Silicon：ＬＴＰＳ）等から成る半導体膜を有し、ゲート電極、ソース電極、ドレイン電極の３端子を有する構成であり、また双方ともｎチャネル型ＴＦＴである構成、双方ともｐチャネル型ＴＦＴである構成、一方がｎチャネル型ＴＦＴで他方がｐチャネル型ＴＦＴである構成を採用できる。そして、ゲート電極に所定電位の電圧を印加することにより、ソース電極とドレイン電極の間の半導体膜（チャンネル）に電流を流す、スイッチング素子(ゲートトランスファ素子)として機能する。基板５１がガラス基板から成り、駆動素子は、ＬＴＰＳから成る半導体膜を有するＴＦＴを用いて構成された駆動回路である場合、基板５１上にＴＦＴをＣＶＤ（Chemical  Vapor  Deposition）法等の薄膜形成法によって直接的に形成することができる。
【０００６】
なお、発光部としての画素部７４は、それぞれが赤色発光用の副画素、緑色発光用の副画素、青色発光用の副画素から成る場合がある。赤色発光用の副画素は赤色ＬＥＤ等から成る赤色発光素子を有し、緑色発光用の副画素は緑色ＬＥＤ等から成る緑色発光素子を有し、青色発光用の副画素は青色ＬＥＤ等から成る青色発光素子を有している。例えば、これらの副画素は、列方向に並んでいる。
【０００７】
そして、発光制御信号は、貫通導体６４から画像信号線（発光制御信号線ともいう）５３を介して各発光部７４に入力される。
【０００８】
また図４は、図３の発光装置と同様の構成であり、貫通導体６１，６４，７８，７９に代えて側面導体８１，８４，８８，８９を設けた構成を示すものである。側面導体８１，８４，８８，８９は、例えば、基板５１の側面において基板の表面から裏面に至る溝に導体線を配置した構成である。
【０００９】
また、他の従来例として、複数枚の液晶表示パネルを平面配置することにより構成され、液晶表示パネルの制御信号配線の電極端子を、液晶表示パネルの主面に垂直な端辺に形成した窪み部の内壁面に形成された金属層に接合すると共に、窪み部に半田或は導電性接着剤等からなる電極接合材料を充填し、その電極接合材料により液晶表示パネルの端面で隣接配置したそれぞれの液晶表示パネルの制御信号配線相互間を接続した液晶表示装置が提案されている（例えば、特許文献１を参照）。この従来例においては、一つの電極端子に一つの金属層が接続されている。
【先行技術文献】
【特許文献】
【００１０】
【特許文献１】特開昭６１−２３６５８５号公報
【発明の概要】
【発明が解決しようとする課題】
【００１１】
しかしながら、上記従来の発光装置における配線構造および特許文献１に開示された接続構造は、以下の問題点があった。図４のＡ部を拡大した拡大平面図である図５（ａ）に示すように、ガラス基板等から成る基板５１の表面側に、フォトリソグラフィ法等によって画像信号線（以下、配線と略す）５３を形成する。次に、図５（ｂ）に示すように、側面導体８４となる溝８４ａを切削加工法、エッチング法等によって形成し、溝８４ａに銀（Ａｇ），銅（Ｃｕ）等の導体粒子を含む導体ペーストを塗布し乾燥または焼成することによって導体線８４ｂを形成する。次に、基板５１の裏面側に、配線５３に側面導体８４を介して電気的に接続される他の配線５３ｒを、フォトリソグラフィ法等によって形成する。このとき、配線５３および配線５３ｒは、位置精度の高い（アライメント精度が０．５μｍ〜５μｍ程度である）フォトリソグラフィ法等によって形成されるために、それらの位置ずれは小さいものとなる。しかしながら、側面導体８４となる溝８４ａは、フォトリソグラフィ法に比べてアライメント精度が５０μｍ〜２００μｍ程度と低い切削加工法、エッチング法等によって形成されるために、側面導体８４の位置が配線５３，５３ｒの位置からずれやすいという問題点があった。
【００１２】
図６（ａ）〜（ｃ）は、側面導体８４の位置が配線５３，５３ｒの位置からずれた場合を示すものである。図６（ｃ）に示すように、側面導体８４の位置が配線５３，５３ｒに重ならない位置にずれると、配線５３と配線５３ｒが電気的に接続されないという問題点が生じる。
【００１３】
また、図７（ａ）〜（ｃ）は、２つの基板５１ａ，５１ｂを平面的に並べ、それらを結合（タイリング）して複合型かつ大型の表示装置（マルチディスプレイ）を作製する場合の結合部（タイリング部）を示すものである。図７（ｂ）に示すように、基板５１ａにおいて、配線５３ａは側面導体８４ａに接続され、配線５３ｂは側面導体８４ｂに接続され、配線５３ｃは側面導体８４ｃに接続され、配線５３ｄは側面導体８４ｄに接続されている。また、基板５１ｂにおいて、配線５３ｅは側面導体８４ｅに接続され、配線５３ｆは側面導体８４ｆに接続され、配線５３ｇは側面導体８４ｇに接続され、配線５３ｈは側面導体８４ｈに接続されている。そして、基板５１ａおよび基板５１ｂの裏面において、側面導体８４ａは側面導体８４ｅに結合導体９０ａを介して接続され、側面導体８４ｂは側面導体８４ｆに結合導体９０ｂを介して接続され、側面導体８４ｃは側面導体８４ｇに結合導体９０ｃを介して接続され、側面導体８４ｄは側面導体８４ｈに結合導体９０ｄを介して接続される。これにより、基板５１ａと基板５１ｂの電気的なタイリング部が構成される。
【００１４】
しかしながら、図８（ａ）〜（ｃ）に示すように、側面導体８４ａ〜８４ｈが所定の位置から最大で１つ分程度ずれて配置されると、本来結合されるべき配線同士が接続されない事態、あるいは配線が接続されない事態が発生する場合があった。すなわち図８（ｃ）に示すように、配線５３ａ，５３ｈはどの配線にも接続されず、配線５３ｂは本来接続されるべき配線５３ｆの隣りの配線５３ｅに接続され、配線５３ｃは本来接続されるべき配線５３ｇの隣りの配線５３ｆに接続され、配線５３ｄは本来接続されるべき配線５３ｈの隣りの配線５３ｇに接続されている。
【００１５】
さらに、側面導体８４ａ〜８４ｈのそれぞれの幅が、配線５３ａ〜５３ｈのそれぞれの幅に近い程度に大きいと、側面導体８４ａ〜８４ｈの隣接するもの同士が接触し短絡するおそれがあった。
【００１６】
本発明は、上記の問題点に鑑みて完成されたものであり、その目的は、配線の誤接続、接続不良が発生することを効果的に抑えることであり、具体的には基板の表面側の配線と裏面側の配線との誤接続、接続不良が発生することを効果的に抑えること、また複数の基板のタイリング部において誤接続、接続不良が発生することを効果的に抑えることである。
【課題を解決するための手段】
【００１７】
本発明の配線基板は、第１主面およびその反対側の第２主面を有する基板と、前記第１主面の側に配置された配線と、を有している配線基板であって、前記第１主面から前記第２主面に至って配置された導体線が、三本以上前記配線の幅方向に並んでおり、前記配線は、三本以上の導体線のうちの一部で複数本の導体線と接続している構成である。
【００１８】
本発明の配線基板は、好ましくは、前記導体線は、前記基板の側面に配置されている側面導体線である。
【００１９】
また本発明の配線基板は、好ましくは、前記側面導体線は、前記基板の側面において前記第１主面から前記第２主面に至る溝に配置されている。
【００２０】
また本発明の配線基板は、好ましくは、前記導体線は、前記基板に形成された貫通孔に配置されている貫通導体線である。
【００２１】
また本発明の配線基板は、好ましくは、前記導体線は、隣接する導体線と所定ピッチで配置されている。
【００２２】
また本発明の配線基板は、好ましくは、前記配線は、複数本あり、前記所定ピッチは、前記配線の幅の１／３よりも小さい。
【００２３】
また本発明の配線基板は、好ましくは、前記配線は、複数本あり、前記導体線は、その幅が、前記配線とそれに隣接する前記配線との最小間隔の１／２よりも小さい。
【００２４】
また本発明の配線基板は、好ましくは、前記導体線は、前記配線が配置されていない前記基板の部位に複数本整列されている。
【００２５】
本発明の発光装置は、上記本発明の配線基板と、前記第１主面の側に配置され、前記配線に電気的に接続されている発光部と、を有している構成である。
【発明の効果】
【００２６】
本発明の配線基板は、第１主面およびその反対側の第２主面を有する基板と、前記第１主面の側に配置された配線と、を有している配線基板であって、前記第１主面から前記第２主面に至って配置された導体線が、三本以上前記配線の幅方向に並んでおり、前記配線は、三本以上の導体線のうちの一部で複数本の導体線と接続している構成であることから、配線に対して導体線が位置ずれを起こしたとしても、配線と導体線とが確実に接続される。その結果、基板の表面側および裏面側にそれぞれ配線があり、それらを接続する場合、基板の表面側の配線と裏面側の配線との誤接続、接続不良が発生することを効果的に抑えることができる。また、複数の基板をタイリングする場合、タイリング部において誤接続、接続不良が発生することを効果的に抑えることができる。
【００２７】
本発明の配線基板は、前記導体線は、前記基板の側面に配置されている側面導体線である場合、配線と側面導体線との接続状態を確認することが容易になる。また、複数の基板をタイリングする場合には、側面導体線はタイリング部に隠れやすくなり、基板間の継ぎ目が目立ちにくくなる。
【００２８】
また本発明の配線基板は、前記側面導体線は、前記基板の側面において前記第１主面から前記第２主面に至る溝に配置されている場合、溝によって隣接する側面導体線同士が確実に分離されるので、側面導体線同士の間の短絡をも抑えることができる。
【００２９】
また本発明の配線基板は、前記導体線は、前記基板に形成された貫通孔に配置されている貫通導体線である場合、貫通孔によって隣接する貫通導体線同士が確実に分離されるので、貫通導体線同士の間の短絡をも抑えることができる。
【００３０】
また本発明の配線基板は、前記導体線は、隣接する導体線と所定ピッチで配置されている場合、複数の導体線を一括して形成した場合にそれらの導体線のずれも一定となり、配線と導体線との接続を確保することが容易になる。
【００３１】
また本発明の配線基板は、前記配線は、複数本あり、前記所定ピッチは、前記配線の幅の１／３よりも小さい場合、配線に対して導体線が位置ずれを起こしたとしても、配線と導体線とが確実に接続されやすくなる。
【００３２】
また本発明の配線基板は、前記配線は、複数本あり、前記導体線は、その幅が、前記配線とそれに隣接する前記配線との最小間隔の１／２よりも小さい場合、配線に対して導体線が位置ずれを起こしたとしても、複数の基板をタイリングする場合、タイリング部において誤接続、接続不良が発生することを効果的に抑えることができる。
【００３３】
また本発明の配線基板は、前記導体線は、前記配線が配置されていない前記基板の部位に複数本整列されている場合、配線に対して導体線が位置ずれを起こしたとしても、元々配線が配置されていない基板の部位にあった導体線を、位置ずれが生じた結果、配線に接続させることも可能となる。従って、配線と導体線とが確実に接続されやすくなる。
【００３４】
本発明の発光装置は、上記本発明の配線基板と、前記第１主面の側に配置され、前記配線に電気的に接続されている発光部と、を有している構成であることから、発光部に発光信号等を確実に入力させることができる。また、複数の配線基板をタイリングして複合型かつ大型の表示装置を作製する場合、複数の配線基板におけるそれぞれの発光部に発光信号等を確実に入力させることができる。
【００３５】
また本発明の配線基板は、前記配線と接続される複数の導体線がそれぞれの導体線をつなぐ橋掛け線を有する構成としたことより、前記導体線のうちの１本にオープン等の不具合が発生しても適正な信号伝達を達成することができる。
【００３６】
また本発明の配線基板は、前記橋掛け線は、隣接する導体線間に複数配設されている構成としたことより、導体線のオープンの冗長性をさらに拡充することができる。
【００３７】
また本発明の配線基板は、前記配線は、前記基板の側面側において複数の枝分かれ形状となっており、枝分かれのそれぞれの配線に複数の導体線が接続されている構成とされていることにより、より信頼性が望まれる配線に対しても確実に信号、電圧等の情報を供給することができる。また、枝分かれの配線は電源配線である。電源配線は、情報供給量を多くすることでより安定化するが、電源配線自体を冗長配線とし、さらに、電源配線につながる導体線も冗長配線としていることで、より信頼性の高い配線を形成することができる。
【図面の簡単な説明】
【００３８】
【図１】図１（ａ）〜（ｄ）は、本発明の配線基板について実施の形態の１例を示す図であり、（ａ）は配線と導体線が正しい位置関係にある場合の配線と導体線の接続部の平面図、（ｂ）は（ａ）の構成における配線と導体線の接続部の斜視図、（ｃ）は配線に対して導体線が位置ずれを起こした場合の配線と導体線の接続部の平面図、（ｄ）は（ｃ）の構成における配線と導体線の接続部の斜視図である。
【図２】図２（ａ）〜（ｃ）は、本発明の配線基板について実施の形態の他例を示す図であり、（ａ）は配線と導体線が正しい位置関係にある場合の配線と導体線の接続部の平面図、（ｂ）は配線に対して導体線が位置ずれを起こした場合の配線と導体線の接続部の平面図、（ｃ）は（ｂ）の構成において複数の配線基板をタイリングする場合の配線と導体線の接続部の平面図である。
【図３】図３は、従来の表示装置の一例を示す図であり、表示装置の基本構成のブロック回路図である。
【図４】図４は、従来の表示装置の他例を示す図であり、表示装置の基本構成のブロック回路図である。
【図５】図５（ａ）〜（ｃ）は、従来の配線基板における配線および導体線の形成工程を示す図であり、（ａ）は基板の表面側に配線を形成する工程を示す平面図、（ｂ）は基板の側面に側面導体を形成する工程を示す平面図、（ｃ）は基板の裏面側に他の配線を形成する工程を示す平面図である。
【図６】図６（ａ）〜（ｃ）は、図５と同様の図であり、（ａ）は基板の表面側に配線を形成する工程を示す平面図、（ｂ）は基板の側面に位置ずれを起こした側面導体を形成する工程を示す平面図、（ｃ）は基板の裏面側に他の配線を形成する工程を示す平面図である。
【図７】図７（ａ）〜（ｃ）は、従来の２つの配線基板をタイリングする場合における配線および導体線の形成工程を示す図であり、（ａ）は基板の表面側に配線を形成する工程を示す平面図、（ｂ）は基板の側面に側面導体を形成する工程を示す平面図、（ｃ）は２つの配線基板をタイリングする工程を示す配線基板の裏面の平面図である。
【図８】図８（ａ）〜（ｃ）は、従来の２つの配線基板をタイリングする場合における配線および導体線の形成工程を示す図であり、（ａ）は基板の表面側に配線を形成する工程を示す平面図、（ｂ）は基板の側面に位置ずれを起こした側面導体を形成する工程を示す平面図、（ｃ）は２つの配線基板をタイリングする工程を示す配線基板の裏面の平面図である。
【図９】図９（ａ）〜（ｃ）は、本発明の配線基板について実施の形態の第３の例を示す図であり、配線と導体線の接続部の斜視図である。
【図１０】図１０（ａ）〜（ｃ）は、本発明の配線基板について実施の形態の第４の例を示す図であり、配線と導体線の接続部の斜視図である。
【発明を実施するための形態】
【００３９】
以下、本発明の配線基板および発光装置の実施の形態について、図面を参照しながら説明する。但し、以下で参照する各図は、本発明の配線基板および発光装置の実施の形態における構成部材のうち、本発明の配線基板および発光装置を説明するための主要部を示している。従って、本発明に係る配線基板および発光装置は、図に示されていない回路基板、配線導体、制御ＩＣ，ＬＳＩ等の周知の構成部材を備えていてもよい。
【００４０】
図１、図２は、本発明の配線基板について各種実施の形態の例を示す図である。図１に示すように、本発明の配線基板は、第１主面１１およびその反対側の第２主面１２を有する基板１と、第１主面１１の側に配置された配線３と、を有している配線基板であって、第１主面１１から第２主面１２に至って配置された導体線４ａ〜４ｆが、三本以上配線３の幅方向に並んでおり、配線３は、三本以上の導体線４ａ〜４ｆのうちの一部で複数本の導体線４ｃ，４ｄ（あるいは導体線４ｂ，４ｃ）と接続している構成である。この構成により、配線３に対して導体線４ａ〜４ｆが位置ずれを起こしたとしても、配線３と導体線４ｂ，４ｃとが確実に接続される。その結果、基板１の第１主面１１（例えば、表面）側および第２主面１２（例えば、裏面）側にそれぞれ配線３，３ｒがあり、それらを接続する場合、基板１の第１主面１１側の配線３と第２主面１２側の配線３ｒとの誤接続、接続不良が発生することを効果的に抑えることができる。また、図２に示すように、複数の基板１ａ，１ｂをタイリングする場合、タイリング部において誤接続、接続不良が発生することを効果的に抑えることができる。
【００４１】
図２に示すように、基板１ａおよび基板１ｂにおいてそれぞれ導体線４ａ〜４ｆおよび導体線４ｋ〜４ｓが位置ずれを起こしたとしても、基板１ａおよび基板１ｂの裏面において、配線３１ａとそれに本来接続されるべき配線３１ｂが結合導体９ａを介して接続され、配線３２ａとそれに本来接続されるべき配線３２ｂが結合導体９ｃを介して接続される。なお、結合導体９ｂ，９ｄは接続に寄与していないが、配線の接続に問題はない。結合導体９ａ〜９ｄは、アルミニウム（Ａｌ），チタン（Ｔｉ），モリブデン（Ｍｏ），タンタル（Ｔａ），タングステン（Ｗ），クロム（Ｃｒ），銀（Ａｇ），銅（Ｃｕ），ネオジウム（Ｎｄ）等から成る導線等である。
【００４２】
本発明の配線基板において、基板１は、ガラス基板、プラスチック基板等の透明基板であってもよいが、不透明なものであってもよい。基板１が不透明なものである場合、基板１は着色されたガラス基板、摺りガラスから成るガラス基板、プラスチック基板、セラミック基板、金属基板、あるいはそれらの基板を積層した複合基板であってもよい。また基板１の厚みは、例えば０．３ｍｍ〜５ｍｍ程度である。
【００４３】
配線３，３ｒは、例えば図３、図４に示すような発光素子７３に発光制御信号を伝達するための信号配線等であり、アルミニウム（Ａｌ），チタン（Ｔｉ），モリブデン（Ｍｏ），タンタル（Ｔａ），タングステン（Ｗ），クロム（Ｃｒ），銀（Ａｇ），銅（Ｃｕ），ネオジウム（Ｎｄ）等から選ばれた元素から成る金属材料、これらの元素を主成分とする合金材料、または窒化チタン，窒化タンタル，窒化モリブデン等の金属窒化物等の導電性を有する材料を用いて形成される。また配線３，３ｒは、これら材料から成る単層構造のもの、または複数の材料の層を積層して成る積層構造のものであってもよい。積層構造とすることにより、低抵抗化を実現することもきる。また配線３，３ｒは、その幅が１０μｍ〜１０００μｍ程度である。
【００４４】
導体線４ａ〜４ｆは、図１に示すように、基板１の側面に配置されている側面導体線であることがよい。この場合、配線３と側面導体線との接続状態を確認することが容易になる。また、複数の基板をタイリングする場合には、側面導体線はタイリング部に隠れやすくなり、基板１間の継ぎ目が目立ちにくくなる。また、側面導体線は、基板１の側面において第１主面１１から第２主面１２に至る溝に配置されていることがよい。この場合、溝によって隣接する側面導体線同士が確実に分離されるので、側面導体線同士の間の短絡をも抑えることができる。側面導体線を配置するための溝は、切削加工法、エッチング法、レーザ加工法等によって形成され得る。また、基板１の主面において整列した複数の貫通孔を切削加工法、エッチング法、レーザ加工法等によって形成し、それらの貫通孔の中心を通る線上においてレーザ光等を照射することによって、基板１を分割する方法等を採用することにより、溝を形成することもできる。
【００４５】
側面導体線は、基板１の側面の所定部位に、メッキ法、蒸着法、ＣＶＤ法等の薄膜形成法等によって導体層を成膜する方法で形成される。あるいは基板１の側面の所定部位に溝を形成し、次にその溝に、メッキ法、蒸着法、ＣＶＤ法等の薄膜形成法等によって導体層を成膜する方法で形成される。
【００４６】
また側面導体線は、基板１の側面の所定部位に、導体ペーストを塗布し焼成して導体層を作製する厚膜形成法等によって形成される。あるいは基板１の側面の所定部位に溝を形成し、次にその溝に導体ペーストを塗布し焼成して導体層を作製する厚膜形成法等によって形成される。
【００４７】
また側面導体線は、銅（Ｃｕ），アルミニウム（Ａｌ），銀（Ａｇ），モリブデン（Ｍｏ）等の導体材料から成る。さらに側面導体線は、その幅が１０μｍ〜３００μｍ程度である。
【００４８】
また導体線は、基板１に形成された貫通孔に配置されている貫通導体線であることがよい。この場合、貫通孔によって隣接する貫通導体線同士が確実に分離されるので、貫通導体線同士の間の短絡をも抑えることができる。貫通導体腺は、基板１にレーザ加工法、エッチング法、切削加工法等によって貫通孔を形成し、次に貫通孔の側面に、メッキ法、蒸着法、ＣＶＤ法等の薄膜形成法等によって導体層を成膜する方法で形成される。または、貫通孔に、導体ペーストを充填し焼成して柱状導体を作製する厚膜形成法等によって形成される。また貫通導体線は、銅（Ｃｕ），アルミニウム（Ａｌ），銀（Ａｇ），モリブデン（Ｍｏ）等の導体材料から成る。なお、基板１にレーザ加工法によって貫通孔を形成する場合、基板１として感光性のガラス基板等を採用することが好ましい。この場合、透光性を有する基板１に貫通孔を容易に形成することができる。
【００４９】
また本発明の配線基板は、図１に示すように、導体線４ａ〜４ｆは、隣接する導体線４ａ〜４ｆと所定ピッチＰｔで配置されていることが好ましい。この場合、複数の導体線４ａ〜４ｆを一括して形成した場合にそれらの導体線４ａ〜４ｆのずれも一定となり、配線３と導体線４ａ〜４ｆとの接続を確保することが容易になる。
【００５０】
また本発明の配線基板は、配線３は、複数本あり、所定ピッチＰｔは、配線３の幅Ｗ２の１／３よりも小さいことが好ましい。この場合、配線３に対して導体線４ａ〜４ｆが位置ずれを起こしたとしても、配線３と導体線４ａ〜４ｆとが確実に接続されやすくなる。また、所定ピッチＰｔは、配線３の幅Ｗ２の１／１０以上であることがよい。１／１０未満では導体線４ａ〜４ｆの抵抗が高くなる傾向がある。
【００５１】
また本発明の配線基板は、図２に示すように、配線３は、複数本あり、導体線４ａ〜４ｊはそれぞれ、その幅が、配線３とそれに隣接する配線３との最小間隔Ｋ２の１／２よりも小さいことが好ましい。この場合、配線３に対して導体線４ａ〜４ｊが位置ずれを起こしたとしても、複数の基板１ａ，１ｂをタイリングする場合、タイリング部において誤接続、接続不良が発生することを効果的に抑えることができる。またこの場合、導体線４ａ〜４ｊはそれぞれ、その幅が、導体線４ａ〜４ｊ同士の間の間隔Ｋ１よりも小さいことが好ましい。この構成により、配線３に対して導体線４ａ〜４ｊが位置ずれを起こしたとしても、複数の基板１ａ，１ｂをタイリングする場合、タイリング部において誤接続、接続不良が発生することをより効果的に抑えることができる。
【００５２】
また本発明の配線基板は、図１、図２に示すように、導体線４ａ〜４ｊは、配線３が配置されていない基板１の部位に複数本整列されていることが好ましい。この場合、配線３に対して導体線４ａ〜４ｊが位置ずれを起こしたとしても、元々配線３が配置されていない基板１の部位にあった導体線４ａ〜４ｊを、位置ずれが生じた結果、配線３に接続させることも可能となる。従って、配線３と導体線４ａ〜４ｊとが確実に接続されやすくなる。
【００５３】
図９は、配線３と導体線４との接続部を示す斜視図であり、導体線同士を接続する橋掛け線２０が配設されていることを示す図である。橋掛け線２０の材質は導体線４と同じ材質で良く、金属ペースト等でよい。なお、導体線４は基板１の側面に形成された溝に配置されることが好ましいが、これに限定されず、基板の側面にオフセット印刷等で直接金属ペーストを塗工しても良い。印刷等の形成技術で導体線を塗工するときに同一版で橋掛け線２０を形成すれば良い。
【００５４】
図９（ａ）〜（ｃ）を参照して、図９（ａ）は配線３と裏面側の配線３ｒとを接続する側面導体線同士を側面において橋掛け接続するもので、側面導体線に直行するように橋掛け線２０が形成されている。また図９（ｂ）は隣接する側面導体線において橋掛け線同士が交差するように形成されている。さらに図９（ｃ）は橋掛け線２０の交差部を多くしてメッシュ構造のように形成されている。このように隣接する側面導体線の間に複数の橋掛け線を設けることで、配線の冗長性が向上する。本発明の配線基板は、好適に電流制御の発光装置に適用されるが、大電流を配線に流すときに配線が切断されてオープン化する可能性があり、たとえ１本の側面導電体が切れたとしても橋掛け線によって正常な側面導電体に適正な電流、信号、電圧等を供給することができる。
【００５５】
特に図９（ｃ）に示すように、橋掛け線２０をメッシュ系形状とすることによって、印刷等で側面導体線および橋掛け線２０を同時形成する場合、印刷などの塗工精度にマージンを持たせることができ、製造の簡素化を図ることができる。すなわち、配線の冗長化と製造の簡略化を同時に得ることができる。
【００５６】
図１０は、配線３と導体線４との接続部を示す斜視図であり、導体線同士を接続する橋掛け線２０が配設されていることを示す図である。特に、配線として電源部に接続される電源配線に関するものである。本実施の形態では、電源配線３は基板の側面側において二股に分かれた枝分かれ形状となっている。そして、枝分かれの配線のそれぞれに複数の側面導体線が接続されている。また、隣接する側面導体線間には橋掛け線２０が形成されている。この橋掛け線２０も側面導電体と同じ材質、同じ工程で形成しており、製造方法が簡便となっている。
【００５７】
図１０（ａ）は側面導体線と直行する方向に橋掛け線２０を形成しており、導電体４ａから４ｆまでを串刺しのような形状となっているが、これに限定されず、橋掛け線２０を隣接する側面導体線間で段違いに形成しても良い。また、図１０（ｂ）は橋掛け線２０同士を交差する形状としている。
【００５８】
図１０（ｃ）は、枝分かれの配線間に側面導体線がない態様を示している。枝分かれの配線間にはメッシュ上の橋掛け線２０が形成されている。枝分かれ配線を一つの配線と見ることもでき、配線自体を冗長化し、橋掛け線も冗長化することで信号供給に関する信頼性、安定性を確保することができる。特に配線が電源部につながる電源線の場合、大電流が流れやすいので、配線の切断等の不具合が発生しやすくなる。電源配線に本実施の形態を採用することがより好ましい。
【００５９】
本発明の発光装置は、上記本発明の配線基板と、第１主面１１の側に配置され、配線３に電気的に接続されている発光部と、を有している構成である。この構成により、発光部に発光信号等を確実に入力させることができる。また、複数の配線基板をタイリングして複合型かつ大型の表示装置等を作製する場合、複数の配線基板におけるそれぞれの発光部に発光信号等を確実に入力させることができる。なお、本発明の発光装置の基本的な構成は、例えば図３、図４に示す表示装置と同様のものであってもよい。
【００６０】
発光部としての発光素子としては、マイクロチップ型の発光ダイオード（ＬＥＤ）、モノリシック型の発光ダイオード、有機ＥＬ、無機ＥＬ、半導体レーザ素子等の自発光型のものであれば採用し得る。
【００６１】
本発明の発光装置を用いてマルチディスプレイを作製する場合、複数の発光素子を搭載した配線基板の複数を、同じ面上において縦横に配置するとともにそれらの側面同士を接着材、結合導体等によって結合（タイリング）させることによって、複合型かつ大型の表示装置（マルチディスプレイ）とすることができる。
【００６２】
なお、本発明の配線基板および発光装置は、上記実施の形態に限定されるものではなく、適宜の設計的な変更、改良を含んでいてもよい。
【産業上の利用可能性】
【００６３】
本発明の発光装置としての表示装置は、各種の電子機器に適用できる。その電子機器としては、複合型かつ大型の表示装置（マルチディスプレイ）、自動車経路誘導システム（カーナビゲーションシステム）、船舶経路誘導システム、航空機経路誘導システム、スマートフォン端末、携帯電話、タブレット端末、パーソナルデジタルアシスタント（ＰＤＡ）、ビデオカメラ、デジタルスチルカメラ、電子手帳、電子書籍、電子辞書、パーソナルコンピュータ、複写機、ゲーム機器の端末装置、テレビジョン、商品表示タグ、価格表示タグ、産業用のプログラマブル表示装置、カーオーディオ、デジタルオーディオプレイヤー、ファクシミリ、プリンター、現金自動預け入れ払い機（ＡＴＭ）、自動販売機、デジタル表示式腕時計、スマートウォッチなどがある。
【符号の説明】
【００６４】
１、１ａ、１ｂ  基板
３、３ｒ  配線
４ａ〜４ｓ  導体線
１１  第１主面
１２  第２主面
２０  橋掛け線
３１ａ、３１ｂ  配線
３２ａ、３２ｂ  配線
【図１】
2018152565.tif 000003
【図２】
2018152565.tif 000004
【図３】
2018152565.tif 000005
【図４】
2018152565.tif 000006
【図５】
2018152565.tif 000007
【図６】
2018152565.tif 000008
【図７】
2018152565.tif 000009
【図８】
2018152565.tif 000010
【図９】
2018152565.tif 000011
【図１０】
2018152565.tif 000012